(57)【要約】【課題】  本発明の光ピックアップ装置においては、光ピックアップにおける光学基台の機能を確保しつつ、光ピックアップの小型化を達成することができる光ピックアップ装置を提供することを目的とする。【解決手段】  本発明に係る光ピックアップ装置は、レンズとアクチュエータとを収納する開口を形成する枠体内にディスク状記録媒体の径方向に延びるガイド溝が形成されており、シャーシに形成された副軸ガイド部と係合するよう構成されている。【選択図】図１
2005122859.tif 000002
【特許請求の範囲】
【請求項１】
ターンテーブルを回転駆動するスピンドルモータと送りモータとが実装されたシャーシに設けられ、前記ターンテーブルに載置されたディスク状記録媒体の径方向に前記送りモータにより駆動される光ピックアップを有する光ピックアップ装置であって、
前記ディスク状記録媒体のトラッキング方向とフォーカシング方向にレンズを駆動するアクチュエータと、
前記送りモータにより回転する駆動軸に螺合して、前記駆動軸の回転により前記ディスク状記録媒体の径方向に移動するよう構成され、前記レンズと前記アクチュエータとを収納する開口を有し、前記開口を形成する枠体内に前記ディスク状記録媒体の径方向に延設したガイド溝を有し、前記シャーシに前記ディスク状記録媒体の径方向に延設した副軸ガイド部と前記ガイド溝とが係合する光学基台と、
を具備する光ピックアップを有する光ピックアップ装置。
【請求項２】
ガイド溝が、光学基台の端部に形成され、矩形状の枠体におけるディスク状記録媒体の径方向と平行な辺の全体に形成された請求項１に記載の光ピックアップ装置。
【請求項３】
ガイド溝の溝底面が貫通して、前記ガイド溝内部空間とアクチュエータの配設空間とが連通している請求項１又は２のいずれか一項に記載の光ピックアップ装置。
【請求項４】
光学基台において、ガイド溝が形成された枠体の一部にアクチュエータの配設方向に突設した突起を有する請求項１乃至請求項３のいずれか一項に記載の光ピックアップ装置。
【請求項５】
ガイド溝の少なくとも一部に狭い部分を有し、シャーシに形成された副軸ガイド部との接触箇所を少なくとも一部分に限定した形状を有する請求項１乃至請求項４のいずれか一項に記載の光ピックアップ装置。
【発明の詳細な説明】
【技術分野】
【０００１】
本発明はコンパクトディスクプレーヤ、ミニディスクプレーヤ、ＤＶＤプレーヤなどの光学的記録再生装置に用いられる光ピックアップ装置に関するものである。
【背景技術】
【０００２】
近年、光学的記録再生装置の小型化及び薄型化に伴い、光ピックアップ装置自体の小型化の要求が高まってきた。
以下、従来の光ピックアップ装置の具体的な使用例について、ミニディスクポータブルプレーヤを用いて図５及び図６を参照しつつ説明する。図５は従来の光ピックアップ装置を用いたミニディスクポータブルプレーヤの一部を示す分解斜視図である。図６は従来の光ピックアップ装置を示す斜視図である。
【０００３】
図５は、従来のミニディスクポータブルプレーヤにおける光ピックアップ装置とその駆動機構を示している。図５に示すように、シャーシ１０１にはスピンドルモータ１０２、光ピックアップ１０３、この光ピックアップ１０３を駆動するための駆動軸１０４、減速ギヤ１０６、及び送りモータ１０７等が実装されている。また、スピンドルモータ１０２には、データが記録された光学的記録媒体であるディスクを載置して回転させるターンテーブル１２０が設けられている。更に、駆動軸１０４にはその一端に駆動ギヤ１０８が形成されており、送りモータ１０７の回転が減速ギヤ１０６と駆動ギヤ１０８との間で減速されて駆動軸１０４に伝達されるよう構成されている。このように駆動軸１０４が回転することにより、光ピックアップ１０３がデータが記録されたディスクを読みとるために、トラッキング方向（ディスクの径方向）へ移動することができる構成である。
【０００４】
上記のように構成された従来の光ピックアップ装置における光ピックアップ１０３について図６を参照して説明する。
図６に示す従来の光ピックアップ１０３は、基本ベースとして光学基台１０９が設けられており、この光学基台１０９にレーザ光を発射する発光素子１１０と、ターンテーブル上のディスクにレーザ光の焦点を合わせるレンズ１１２と、ディスクから反射したレーザ光をレンズ１１２を介して受光する受光素子１１１と、レンズ１１２をフォーカシング方向（ディスクの記録面に対して直交する方向）とトラッキング方向（ディスクの径方向）へ微調整するアクチュエータ１１３とが設けられている。また、光学基台１０９には駆動軸１０４が貫通する支持孔１０９ａが形成されており、この支持孔１０９ａの内面には駆動軸１０４と螺合するネジが形成されている。光学基台１０９における、支持孔１０９ａと反対側の端部には副軸ガイド受け１０９ｂが突設されており、シャーシ１０１に設けられた副軸ガイド部１０５ｃと係合するよう配置されている。また、光学基台１０９にはレンズ１１２及びアクチュエータ１１３を収納して保護する外形枠１０９ｃが形成されている。
【０００５】
光ピックアップ１０３は駆動軸１０４の回転によりデータが記録されたディスクの所望のトラック位置までトラッキング方向（ディスクの径方向）に移動する。また、サーボ回路（図示省略）によりアクチュエータ１１３を駆動制御して、レンズ１１２を所望の位置に移動する。このように所望の位置に配置されたレンズ１１２により、受光素子１１１から発光されたレーザ光は位置制御されたレンズ１１２を通り、ディスクの記録面の適切な場所に集光され、反射される。その反射された光は、またレンズ１１２を通り、受光素子１１１で受け取られる。
【特許文献１】特開平１１−１１０７７８号
【発明の開示】
【発明が解決しようとする課題】
【０００６】
上記のように構成された従来の光ピックアップ装置における光ピックアップ１０３には、光学基台１０９に支持孔１０９ａと副軸ガイド受け１０９ｂとを設けて、光ピックアップ１０３がシャーシ１０１に対して摺動可能に保持されている。副軸ガイド受け１０９ｂはレンズ１１２とアクチュエータ１１３とをその内部に収納する外形枠１５に突設されていた。光ピックアップ１０３において、これらの支持孔１０９ａと副軸ガイド受け１０９ｂと外形枠１０９ｃとはいずれも必須のものであり、これらを省略することができず、さらなる小型化を困難なものとしていた。
本発明の光ピックアップ装置においては、従来の光ピックアップにおける支持孔１０９ａと副軸ガイド受け１０９ｂと外形枠１０９ｃの各機能を満たす構成で、小型化を達成することができる光ピックアップ装置を提供することを目的とする。
【課題を解決するための手段】
【０００７】
上記の目的を達成するために、本発明に係る光ピックアップ装置は、レンズとアクチュエータとを収納する開口を形成する枠体内にディスク状記録媒体の径方向に延びるガイド溝が形成されており、シャーシに形成された副軸ガイド部と係合するよう構成されている。
本発明に係る請求項１に記載の光ピックアップ装置は、ターンテーブルを回転駆動するスピンドルモータと送りモータとが実装されたシャーシに設けられ、前記ターンテーブルに載置されたディスク状記録媒体の径方向に前記送りモータにより駆動される光ピックアップを有する光ピックアップ装置であって、
前記ディスク状記録媒体のトラッキング方向とフォーカシング方向にレンズを駆動するアクチュエータと、
前記送りモータにより回転する駆動軸に螺合して、前記駆動軸の回転により前記ディスク状記録媒体の径方向に移動するよう構成され、前記レンズと前記アクチュエータとを収納する開口を有し、前記開口を形成する枠体内に前記ディスク状記録媒体の径方向に延設したガイド溝を有し、前記シャーシに前記ディスク状記録媒体の径方向に延設した副軸ガイド部と前記ガイド溝とが係合する光学基台とを具備する光ピックアップを有する。このように構成された本発明によれば、簡単な構成で小型化を達成した光ピックアップ装置を提供することができる。また、光ピックアップの強度を確保し、且つアクチュエータを確実に保護しつつ枠体により光ピックアップの副軸を確実にガイドすることができる。
【０００８】
本発明に係る請求項２に記載の光ピックアップ装置は、請求項１のガイド溝が、光学基台の端部に形成され、矩形状の枠体におけるディスク状記録媒体の径方向と平行な辺の全体に形成されている。このように構成された本発明によれば、簡単な構成で小型化を達成した光ピックアップ装置を提供することができるとともに、光ピックアップを安定して駆動制御することが可能となる。また、光ピックアップの強度を確保し、且つアクチュエータを確実に保護しつつ枠体により光ピックアップの副軸を確実にガイドすることができる。
【０００９】
本発明に係る請求項３に記載の光ピックアップ装置は、請求項１又は請求項２のガイド溝の溝底面が貫通して、前記ガイド溝内部空間とアクチュエータの配設空間とが連通している。このように構成された本発明によれば、簡単な構成で小型化を達成した光ピックアップ装置を提供することができる。
【００１０】
本発明に係る請求項４に記載の光ピックアップ装置は、請求項１乃至請求項３のいずれか一項に記載の光学基台において、ガイド溝が形成された枠体の一部にアクチュエータの配設方向に突設した突起を有する。このように構成された本発明によれば、簡単な構成で小型化を達成した光ピックアップ装置を提供することができるとともに、光ピックアップの剛性を高めることが可能となる。また、光ピックアップの強度を確保し、且つアクチュエータを確実に保護しつつ枠体により光ピックアップの副軸を確実にガイドすることができる。
【００１１】
本発明に係る請求項５に記載の光ピックアップ装置は、請求項１乃至請求項４のいずれか一項に記載のガイド溝の少なくとも一部に狭い部分を有し、シャーシに形成された副軸ガイド部との接触箇所を少なくとも一部分に限定した形状を有する。このように構成された本発明によれば、簡単な構成で小型化を達成した光ピックアップ装置を提供することができるとともに、光ピックアップの位置制御を安定して駆動制御することが可能となる。また、副軸ガイド部と光ピックアップの副軸との接触位置が明確となり、副軸ガイド部の形成時に副軸ガイド部の形状を調整することが容易になる。
【発明の効果】
【００１２】
本発明の光ピックアップ装置は、レンズとアクチュエータとを収納する開口を形成する枠体内にディスク状記録媒体の径方向に延びるガイド溝が形成されており、シャーシに形成された副軸ガイド部と係合するよう構成された小型の光学基台が設けられているため、光ピックアップの強度を確保し、且つアクチュエータを確実に保護しつつ、光ピックアップの小型化を達成することができる。
また、本発明の光ピックアップ装置においては、光ピックアップの副軸を確実にガイドすることができ、副軸ガイド部と副軸との接触位置が明確となり、副軸ガイド部の形成時にその形状を容易に調整加工することが可能となる。
【発明を実施するための最良の形態】
【００１３】
以下、本発明の光ピックアップ装置に係る好適な実施の形態について添付の図面を参照しつつ説明する。以下の実施の形態においてはミニディスクポータブルプレーヤに用いた光ピックアップ装置について説明するが、本発明の光ピックアップ装置はこのような装置にのみに用いられるものではなく、コンパクトディスクプレーヤ、ＤＶＤプレーヤなどの光学的記録再生装置に適用することができる。なお、以下の実施の形態においては記録媒体として用いるディスク状の光学的記録媒体を単にディスクと略称する。
【００１４】
《実施の形態１》
以下、本発明に係る実施の形態１における光ピックアップ装置の具体的な使用例としてミニディスクポータブルプレーヤを用いて図１及び図２を参照しつつ説明する。図１は実施の形態１の光ピックアップ装置を用いたミニディスクポータブルプレーヤの一部を示す分解斜視図である。図２は実施の形態１の光ピックアップ装置における光ピックアップを示す斜視図である。
【００１５】
図１においては、ミニディスクポータブルプレーヤにおける実施の形態１の光ピックアップ装置とその駆動機構とを示している。
図１に示すように、ミニディスクポータブルプレーヤにおけるシャーシ１には、ディスクを載置して回転させるターンテーブル２０を同軸上に有するスピンドルモータ２、ディスクの記録再生を行う光ピックアップ３、この光ピックアップ３を駆動するための駆動軸４、減速ギヤ６、及び送りモータ７等が実装されている。図１に示すシャーシ１は裏面側から見た状態を示しており、ターンテーブル２０におけるディスク載置面が下方向きの状態を表している。スピンドルモータ２はシャーシ１に形成された所定の高さを有する３つの支持部２１ａ，２１ｂ，２１ｃに取り付けられており、ターンテーブル２０がシャーシ１に対して所望の位置に配置されている。送りモータ７は２つの支持部２２ａ，２２ｂに取り付けられており、減速ギヤ６と歯合するよう配置されている。シャーシ１には、駆動軸４をその両端側近傍で支持する第１の駆動軸支持部５ａと第２の駆動軸支持部５ｂが設けられている。また、シャーシ１には、ターンテーブル２０に載置されたディスクの径方向と平行に延設された副軸ガイド部５ｃが形成されており、この副軸ガイド部５ｃと光ピックアップ３に形成された後述するガイド溝９ｂが係合するよう構成されている。
【００１６】
図１において、駆動軸４の一端は第１の駆動軸支持部５ａに回転可能に保持されており、駆動軸４の他端には減速ギヤ６と歯合する駆動ギヤ８が形成されている。駆動ギヤ８の近傍は第２の駆動軸支持部５ｂにより回転可能に支持されている。送りモータ７からの回転駆動力は、減速ギヤ６と駆動ギヤ８との間で減速されて駆動軸４に伝達されるよう構成されている。このように駆動軸４が回転することにより、光ピックアップ３がディスクにおける所望のトラック位置にへ移動する。
【００１７】
上記のように構成された実施の形態１の光ピックアップ装置における光ピックアップ３について図２を参照して説明する。
図２に示す実施の形態１の光ピックアップ３は、基本ベースとして光学基台９が設けられており、この光学基台９にレーザ光を発射する発光素子１０と、ターンテーブル２０上に載置されたディスクにレーザ光の焦点を合わせるレンズ１２と、当該ディスクから反射したレーザ光をレンズ１２を介して受光する受光素子１１と、レンズ１２をフォーカシング方向（ディスクの記録面に対して直交する方向）とトラッキング方向（ディスクの径方向）へ微調整するアクチュエータ１３とが設けられている。
【００１８】
光学基台９には駆動軸４が貫通する支持孔９ａが形成されており、この支持孔９ａの内面には駆動軸４と螺合するネジが形成されている。光学基台９における、略中央部分には発光素子１０と受光素子１１が配置されており、支持孔９ａに対して発光素子１０と受光素子１１とを挟んだ反対側には開口９ｃが形成されている。この開口９ｃにはレンズ１２及びこのレンズ１２を微調整駆動制御するアクチュエータ１３が収納されている。このように、光学基台９にはレンズ１２及びアクチュエータ１３を収納するための開口９ｃを形成する矩形状の枠体９ｄが設けられている。枠体９ｄにおける光学基台９の端部となる位置にはガイド溝９ｂが形成されている。すなわち、枠体９ｄの矩形状の枠体９ｄの一辺で、ターンテーブル２０に載置されたディスクの径方向と平行な位置に、ガイド溝９ｂが延設されている。したがって、ガイド溝９ｂが形成されている枠体９ｄの一辺が光ピックアップ３の副軸となる。このガイド溝９ｂは、シャーシ１に設けられた副軸ガイド部５ｃと係合するよう配置されている。ガイド溝９ｂにおける溝の底面は貫通しており、ガイド溝９ｂの内部空間と開口９ｃは連通している。すなわち、ガイド溝９ｂの内部空間とアクチュエータ１３の配設された空間（開口９ｃ）とは連通している。したがって、ガイド溝９ｂにおける溝の深さが大きく形成されている。
【００１９】
上記のように構成された実施の形態１の光ピックアップ装置において、光ピックアップ装置の動作について説明する。
ターンテーブル２０にディスクが載置され、当該ディスクに対する記録又は再生指令が生じると、送りモータ７が駆動され、減速ギヤ６及び駆動ギヤ８を介して駆動軸４を回転する。駆動軸４の回転にともない、光ピックアップ３はディスクの所望のトラック位置までトラッキング方向（ディスクの径方向）に移動する。また、サーボ回路（図示省略）によりアクチュエータ１３を駆動制御して、レンズ１２をフォーカシング方向（ディスクの記録面に対して直交する方向）とトラッキング方向（ディスクの径方向）へ微調整して所望の位置に移動する。このように所望の位置に配置されたレンズ１２により、受光素子１１から発光されたレーザ光は位置制御されたレンズ１２を通り、ディスクの記録面の適切な場所に集光され、反射される。その反射された光は、またレンズ１２を通り、受光素子１１で受け取られて、記録又は再生動作が行われる。
【００２０】
以上のように、実施の形態１の光ピックアップ装置においては、レンズ１２及びアクチュエータ１３を収納する枠体９ｄにおける、ターンテーブル２０に載置されたディスクの径方向と平行な部分の内部にガイド溝９ｂが延設されている。このガイド溝９ｂがシャーシ１に設けられた副軸ガイド部５ｃと係合するよう配置されており、光ピックアップ３の移動方向を確実に案内している。したがって、実施の形態１の光ピックアップ装置においては、ガイド溝９ｂが枠体９ｄの内部に形成されており、枠体９ｄから突出しないよう構成されている。
したがって、実施の形態１の光ピックアップ装置においては、レンズ１２及びアクチュエータ１３を収納するために必要な枠体９ｄ内に副軸ガイド部５ｃと係合するガイド溝を形成する構成であるため、光ピックアップ３の光学基台９を小型に形成することが可能となり、光ピックアップ装置の小型化及び引いては光学的記録再生装置の小型化を達成することが可能となる。図２においては、符号ａで示す寸法が従来の光ピックアップに比べて小さく形成されている。
なお、実施の形態１の光ピックアップ装置においては、ガイド溝９ｂにおける溝の底面が貫通した例で説明したが、本発明はこのような構成に限定されるものではなく、溝の底面が貫通していない構成でも、本発明の目的である装置の小型化を達成することができる。
【００２１】
《実施の形態２》
次に、本発明に係る実施の形態２の光ピックアップ装置について添付の図３を参照して説明する。
図３は、実施の形態２の光ピックアップ装置における光ピックアップ３０を示す斜視図である。実施の形態２の光ピックアップ装置において、前述の実施の形態１と異なるところは光学基台９に突起９ｅが形成されている点であり、その他は実施の形態１の構成と同様である。したがって、実施の形態２の説明において、実施の形態１と同様な機能、構成を有する部品については、同じ番号を付し、その説明は省略する。
【００２２】
図３に示すように、実施の形態２の光ピックアップ装置における光ピックアップ３０は、実施の形態１の光ピックアップ３と同様に、光学基台９に発光素子１０、受光素子１１、レンズ１２、及びアクチュエータ１３が設けられている。光学基台９には駆動軸４が貫通する支持孔９ａと、この支持孔９ａに対して発光素子１０と受光素子１１とを挟んだ反対側には開口９ｃが形成されている。この開口９ｃにはレンズ１２及びアクチュエータ１３が収納されており、開口９ｃが矩形状の枠体９ｄにより形成されている。枠体９ｄにおける光学基台９の端部となる位置にはガイド溝９ｂが形成されており、このガイド溝９ｂは、シャーシ１に設けられた副軸ガイド部５ｃと係合するよう配置されている。
【００２３】
実施の形態２においては、ガイド溝９ｂの略中央部分にアクチュエータ１２側に突出した突起９ｅが形成されており、ガイド溝９ｂの剛性を高めて、枠体９ｄの強度を確保し、枠体９ｄ内に収納するレンズ１２及びアクチュエータ１３を確実に保護している。実施の形態２の光ピックアップ装置において、ガイド溝９ｂの略中央部分で突起９ｅがアクチュエータ１２側に突出しており、この突起９ｅと対向するレンズ１２及びアクチュエータ１３の部分は凹形状となっており、突起９ｅ先端とレンズ１２又はアクチュエータ１３との間には隙間が形成されている。このため、レンズ１２の移動により、突起９ｅとレンズ１２又はアクチュエータ１３とが接触しないよう構成されている。
【００２４】
以上のように、実施の形態２の光ピックアップ装置においては、光ピックアップ３０の強度を確保し、且つレンズ１２及びアクチュエータ１３を確実に保護しつつ、光ピックアップの小型化を達成することができる。実施の形態２の光ピックアップ装置においては、ガイド溝９ｂの略中央部分にレンズ１２側に突出した突起９ｅを形成する構成であるため、実施の形態１の構成より更に枠体９ｄの強度を高めることができ、特にガイド溝９ｂが開口９ｃと連通するよう底面が貫通している構成の場合には、大きな効果を発揮する。
【００２５】
《実施の形態３》
次に、本発明に係る実施の形態３の光ピックアップ装置について添付の図４を参照して説明する。
図４の（ａ）は実施の形態３の光ピックアップ装置における光ピックアップ３１を示す斜視図である。図４の（ｂ）は図４の（ａ）の一部（Ａ）を拡大して示した図である。実施の形態３の光ピックアップ装置において、前述の実施の形態１と異なるところは光学基台９に突起９ｆが形成されている点であり、その他は実施の形態１の構成と同様である。したがって、実施の形態３において、実施の形態１と同様な機能、構成を有する部品については、同じ番号を付し、その説明は省略する。
【００２６】
図４に示すように、実施の形態３の光ピックアップ装置における光ピックアップ３１は、実施の形態１の光ピックアップ３と同様に、光学基台９に発光素子１０、受光素子１１、レンズ１２、及びアクチュエータ１３が設けられている。光学基台９には駆動軸４が貫通する支持孔９ａと、この支持孔９ａに対して発光素子１０と受光素子１１とを挟んだ反対側には開口９ｃが形成されている。この開口９ｃにはレンズ１２及びアクチュエータ１３が収納されており、開口９ｃが矩形状の枠体９ｄにより形成されている。枠体９ｄにおける光学基台９の端部となる位置にはガイド溝９ｂが形成されており、このガイド溝９ｂは、シャーシ１に設けられた副軸ガイド部５ｃと係合するよう配置されている。実施の形態３においては、ガイド溝９ｂの内側の略中央部分に対向する方向に突出した突起９ｆ，９ｆが形成されている。すなわち、実施の形態３においては、ガイド溝９ｂの略中央部分の両側内面に突起９ｆ，９ｆが形成されており、両側の突起９ｆ，９ｆの先端間に副軸ガイド部５ｃの凸部分が摺動するよう構成されている。
【００２７】
以上のように、実施の形態３の光ピックアップ装置においては、光ピックアップ３１のガイド溝９ｂに突起９ｆ，９ｆが形成されており、突起９ｆ，９ｆの先端間に副軸ガイド部５Ｃが摺動するよう構成されているため、光ピックアップ３１の副軸ガイド部５ｃとの接触部分が明確となり、シャーシ１における副軸ガイド部５ｃの形成時に副軸ガイド部５ｃの幅寸法を容易に、且つ高精度に調整することが容易になる。
【産業上の利用可能性】
【００２８】
本発明に係る光ピックアップ装置は、光ピックアップの強度を確保し、且つアクチュエータを確実に保護しつつ、光ピックアップの小型化を達成することを目的とするコンパクトディスクプレーヤ、ミニディスクプレーヤ、ＤＶＤプレーヤなどの光学的記録再生装置に有用である。
【図面の簡単な説明】
【００２９】
【図１】本発明に係る実施の形態１の光ピックアップ装置を用いたミニディスクポータブルプレーヤの一部を示す分解斜視図である。
【図２】実施の形態１の光ピックアップ装置における光ピックアップを示す斜視図である。
【図３】本発明に係る実施の形態２の光ピックアップ装置における光ピックアップ３０を示す斜視図である。
【図４】（ａ）は本発明に係る実施の形態３の光ピックアップ装置における光ピックアップ３１を示す斜視図であり、（ｂ）は（ａ）の一部（Ａ）を拡大して示した図である。
【図５】従来の光ピックアップ装置を用いたミニディスクポータブルプレーヤの一部を示す分解斜視図である。
【図６】従来の光ピックアップ装置を示す斜視図である。
【符号の説明】
【００３０】
１    シャーシ
２    スピンドルモータ
３    光ピックアップ
４    駆動軸
５ａ  第１の駆動軸支持部
５ｂ  第２の駆動軸支持部
５ｃ  副軸ガイド部
６    減速ギヤ
７    送りモータ
８    駆動ギヤ
９    光学基台
９ａ  支持孔
９ｂ  ガイド溝
９ｃ  開口
９ｄ  枠体
９ｅ  突起
９ｆ  突起
１０    発光素子
１１    受光素子
１２    レンズ
１３    アクチュエータ
２０    ターンテーブル
３０    光ピックアップ
３１    光ピックアップ
【図１】
2005122859.tif 000003
【図２】
2005122859.tif 000004
【図３】
2005122859.tif 000005
【図４】
2005122859.tif 000006
【図５】
2005122859.tif 000007
【図６】
2005122859.tif 000008